(57)【要約】【課題】樹脂部品に隣接する熱交換器の洗浄を可能にするとともに、室内機の内部に設けられるクロスフローファンや通風路の壁等を容易に清掃できるようにする空気調和機を提供する。【解決手段】吸込口２、３及び吹出口４を有する前面カバー５と、前記吸込口２、３及び吹出口３に連通する通風路を有するとともに、この通風路内に送風機３４を有するフレーム結合Ｂと、通風路内に設けられる熱交換器７を有する熱交換器結合Ａとを備え、前記熱交換器７で熱交換された空気を吹出口４から被調和室内へ吹き出す空気調和機の室内機１において、前記前面カバー５、フレーム結合Ｂ及び熱交換器結合Ａは互いに着脱可能に設けられる。【選択図】　　　図１
2004020151.tif 000002
【特許請求の範囲】
【請求項１】
吸込口及び吹出口を有する前面カバーと、前記吸込口及び吹出口に連通する通風路を有するとともにこの通風路内に送風機を有するフレーム結合と、前記通風路内に設けられる熱交換器を有する熱交換器結合とを備え、前記熱交換器で熱交換された空気を吹出口から被調和室内へ吹き出す空気調和機の室内機において、
前記前面カバー、フレーム結合及び熱交換器結合は互いに着脱可能に設けられることを特徴とする空気調和機。
【請求項２】
前記前面カバー及びフレーム結合は、室内機設置状態で熱交換器結合に着脱可能に設けられることを特徴とする請求項１に記載の空気調和機。
【請求項３】
前記熱交換器結合は熱交換器に取り付けられる基準板を有し、この基準板にフレーム結合が固定されることを特徴とする請求項１または２に記載の空気調和機。
【請求項４】
前記フレーム結合には、樹脂製の、風向調節器、ドレンパン及びモータ固定部が設けられていることを特徴とする請求項１〜３のいずれかに記載の空気調和機。
【請求項５】
前記熱交換器結合の左右の仕切板とフレーム結合の左右の側板とが気密に連結されることを特徴とする請求項１〜４のいずれかに記載の空気調和機。
【発明の詳細な説明】
【０００１】
【発明の属する技術分野】
本発明は、分離型空気調和機の室内機に関し、内部の清掃を容易にする室内機に関する。
【０００２】
【従来の技術】
一般家庭等において、空気調和機の普及はめざましく、室内に設置される室内機と室外に設置される室外機とを冷媒配管でつなぎ室内を空調する分離型空気調和機は良く知られている。
【０００３】
図７はこのような室内機のうち室内の壁等に設置して使用される壁掛型室内機の一例を示す分解斜視図である。
【０００４】
この壁掛型室内機の本体７１は、樹脂製の本体フレーム７２と前面カバー７３を有し、この前面カバー７３の上面及び前面には吸込口７４、７５が形成され、前面吸込口７５には複数の通気孔を有する吸込グリル７６が装着されている。前面カバー７３の下端部には、空気調和された空気を室内に吹き出すための吹出口７７が形成され、この吹出口７７には空気の吹出方向を調節するための樹脂製の、複数の左右風向調節羽根（図示せず）と上下風向調節板（図示せず）とが回動自在に取り付けられている。
【０００５】
前記本体７１内には吸込口７４、７５と吹出口７７とに連通する通風路が形成されており、この通風路内の略中心位置には、長手方向に延設された樹脂製のクロスフローファン８３が設けられ、このクロスフローファン８３と上面及び前面吸込口７４、７５との間には冷媒管及び放熱フィンからなる金属性の熱交換器８４が配設されている。この熱交換器８４と上面及び前面吸込口７４、７５との間には主に集塵を目的とする２枚のエアフィルター８５、８５が設けられ、熱交換器８４の下方には冷房運転時に生成されるドレン水を排出するための樹脂製のドレンパン８６が設けられている。
【０００６】
前記クロスフローファン８３が作動すると、上面及び前面吸込口７４、７５を通して室内の空気が吸い込まれる。このとき、吸い込まれた空気中の塵埃がエアフィルター８５、８５に付着することにより室内の塵埃等を集塵するようになっている。エアフィルター８５、８５を通った空気は熱交換器８４で熱交換した後、吹出口７７から室内に吹き出されることにより室内が空調される。
【０００７】
【発明が解決しようとする課題】
ところで、前記エアフィルター８５、８５は、細かい網目状になっており、大部分の塵埃は付着され取り除くことが可能である。しかし、粉末状の微細な塵埃は、これらエアフィルター８５、８５の網目状の部分を通過し、その後方にある熱交換器８４のフィンやクロスフローファン８３、通風路の壁等に付着してしまうことが多い。付着した塵埃は、堆積して通風路の通風を阻害し、空調能力を低下させるばかりでなく、不快な臭気の要因になっている。
【０００８】
そこで、熱交換器８４のフィン等に付着した塵埃を取り除くため熱交換器８４に洗浄液（薬品）をスプレーして洗い落とそうとする。すると、洗浄液がドレンパン８６やクロスフローファン８３等の樹脂部品にまで飛び散ってしまい、長い間には樹脂部品の劣化につながることになる。これら樹脂部品の劣化により、水漏れの原因や送風能力の低下にもつながる。
【０００９】
また、クロスフローファン８３や通風路の壁等、室内機内部に配設される部品に付着した塵埃を取り除くことは非常に困難である。
【００１０】
本発明は、上述のような事情を考慮してなされたものであり、樹脂部品に隣接する熱交換器の洗浄を可能にするとともに、室内機の内部に設けられるクロスフローファンや通風路の壁等を容易に清掃できるようにする空気調和機を提供することを目的とする。
【００１１】
【課題を解決するための手段】
上記目的を達成するために、請求項１に記載の発明は、吸込口及び吹出口を有する前面カバーと、前記吸込口及び吹出口に連通する通風路を有するとともにこの通風路内に送風機を有するフレーム結合と、前記通風路内に設けられる熱交換器を有する熱交換器結合とを備え、前記熱交換器で熱交換された空気を吹出口から被調和室内へ吹き出す空気調和機の室内機において、前記前面カバー、フレーム結合及び熱交換器結合は互いに着脱可能に設けられることを特徴とする。
【００１２】
請求項２に記載の発明は、請求項１に記載の空気調和機において、前記前面カバー及びフレーム結合は、室内機設置状態で熱交換器結合に着脱可能に設けられることを特徴とする。
【００１３】
請求項３に記載の発明は、請求項１または２に記載の空気調和機において、前記熱交換器結合は熱交換器に取り付けられる基準板を有し、この基準板にフレーム結合が固定されることを特徴とする。
【００１４】
請求項４に記載の発明は、請求項１〜３のいずれかに記載の空気調和機において、前記フレーム結合には、樹脂製の、風向調節器、ドレンパン及びモータ固定部が設けられていることを特徴とする。
【００１５】
請求項５に記載の発明は、請求項１〜４のいずれかに記載の空気調和機において、前記熱交換器結合の左右の仕切板とフレーム結合の左右の側板とが気密に連結されることを特徴とする。
【００１６】
【発明の実施の形態】
以下、本発明の一実施形態を図面に基づいて説明する。分離型空気調和機は、室外に設置される室外機と、この室外機と冷媒管により接続されて室内に設置される室内機とにより構成され、これら室外機と室内機とを冷媒が循環するようになっている。
【００１７】
図１は、本発明に係る室内機のうち、室内の壁に設置されるいわゆる壁掛型室内機の概略分解斜視図である。
【００１８】
図１において、室内機１は、前面カバー５と、フレーム部及び送風機を有するフレーム結合Ｂと、基準板６及び熱交換器７を有する熱交換器結合Ａと、電気部品を収納する電装箱８とを備えている。前面カバー５は、基準板６とともに室内機１の外装を形成し、内部に熱交換器結合Ａとフレーム結合Ｂと電装箱８とを収容している。なお、符号１２は室内機１を室内の壁等に設置する際に用いる据付板である。
【００１９】
図２は前面カバーの側断面図である。図１及び図２において、前面カバー５は後方に開口する箱状をし、上面及び前面には吸込口２、３が形成され、前面吸込口３には複数の通気孔を有する吸込グリル１３が装着される。前面カバー５の下面には、空気調和された空気を室内に吹き出すための吹出口４が形成され、後端部の上部には取付用の複数の爪１４、１４、１４が、下部には取付用の複数のねじ孔１５、１５が形成されている。
【００２０】
前記前面カバー５の上面及び前面吸込口２、３と、熱交換器７との間には、主に集塵を目的とするエアフィルター３２、３２が設けられている。
【００２１】
図３は熱交換器結合の側面図、図４は熱交換器結合の分解説明図である。
【００２２】
図３、図４において、熱交換器結合Ａは、基準板６、熱交換器７、左右の上仕切板１６ａ、１６ｂ、左右の下仕切板１７ａ、１７ｂ、及び補助配管１８ａ、１８ｂを有している。
【００２３】
前記基準板６は、四角形の金属製板の上部をコ字状に折曲される掛着部２１と、右寄りの位置に補助配管１８ａ、１８ｂを通すための切欠き部２２（図１参照）とを有し、フレーム結合Ｂ及び電装箱８を固定するための複数のねじ孔２０、２０・・を設けている。そして、前記掛着部２１が室内の壁等に固定された据付板１２に掛けられて室内機１が設置される。
【００２４】
前記熱交換器７は、左右方向に蛇行して配置された冷媒管に直交するように複数のフィンが配設されており、横長直方体の３つのブロック（上、下、後）２４、２５、２６からなっている。これらブロック２４、２５、２６のうち上及び下ブロック２４、２５は、側面から見て「く」の字に配設され、上及び後ブロック２４、２６は、逆Ｖの字に配設されている。各ブロック２４、２５、２６の左右両端には側板が設けられ、これら左右側板の後部が直角に折曲加工され、それぞれに折曲片が形成されている。後ブロック２６の左右の折曲片２６ａ、２６ｂにはそれぞれ上仕切板１６ａ、１６ｂが取り付けられ、これら上仕切板１６ａ、１６ｂを介して熱交換器７が後方の基準板６にねじ固定される。
【００２５】
前記下仕切板１７ａ、１７ｂは、前部と上部とが３つのブロック２４、２５、２６の内側形状に合わせた形状をし、下部が略扇状をしている。そして上及び下ブロックの折曲片２４ａ、２４ｂ、２５ａ、２５ｂにねじ固定される。これにより３つのブロック２４、２５、２６で構成される内側の側面に仕切りが形成される。
【００２６】
また、前記２本の補助配管１８ａ、１８ｂは、上ブロック２４の右側面から後方に延び切欠き部２２を通って基準板６の後方に延出される。これら補助配管１８ａ、１８ｂには断熱材２７が被せられ配管取付具２８にて基準板６にねじ止め固定される。
【００２７】
図５はフレーム結合の側面図、図６はフレーム結合の分解図である。
【００２８】
図１、図５、図６において、フレーム結合Ｂは、後部に樹脂製のフレーム部３３が、前上部にファン４３及びファンモータ４４を有する送風機３４が、前下部に樹脂製の風向調節器３５が設けられている。
【００２９】
前記フレーム部３３には、通風路が形成され、この通風路は前記前面カバー５の吸込口２、３及び吹出口４に連通している。通風路を形成する後隔壁３６は、後方に膨らむ曲面状をし、左右隔壁３７、３８はそれぞれ平面状をしている。左右隔壁３７、３８の上端は、前記下仕切板１７ａ、１７ｂの下端に気密に当接し通風路の左右側面を覆っている。
【００３０】
また、後隔壁３６の上部には熱交換器７の後ブロックに結露して滴下する水を受け止めるための上ドレンパン４１が設けられ、前記基準板６に固定するためのねじ孔３９、３９が設けられている。左隔壁３７にはファン４３の軸受け収納部４２が設けられ、右隔壁３８の外側にはモータ４４の回転軸用通孔４５及びモータ４４の一面に接する取付部が設けられている。左右隔壁３７、３８の後部には前記基準板６に固定するためのねじ孔４０、４０が設けられている。
【００３１】
前記送風機３４は、クロスフローファン４３、モータ４４、軸受け４７及びモータ取付具４８を有し、このモータ取付具４８は、前記フレーム部３３の右隔壁３８とともにモータ４４を挟持し固定する。クロスフローファン４３は、右端がモータ４４の軸に接続され、左端が左隔壁３７の軸受け収納部４２に収納された軸受け４７に枢着される。
【００３２】
前記フレーム部３３の前方下部には、樹脂製の風向調節器３５が結合される。この風向調節器３５は、吹出方向を調節するための複数の左右風向調節羽根５０、５０・・と上下風向調節板５２とを有しフレーム部３３の下部に回動自在に取り付けられる。風向調節器３５の上部には熱交換器７（上ブロック２４、下ブロック２５）で結露して滴下する水を受け止めるためのドレンパン５１が形成される。
【００３３】
以上のように構成された室内機１において、空気調和機の運転が開始されると、熱交換器７には、室外機（図示せず）から冷媒が循環して供給され、クロスフローファン４３が作動する。室内機１に室内の空気が取り込まれ熱交換し、冷房運転時には冷却され、また暖房運転時には暖められて吹出口４から室内に吹き出される。
【００３４】
そして、空気調和が長時間運転されると、熱交換器７のフィンやクロスフローファン４３、隔壁３６、３７、３８の内側等に塵埃が付着して堆積する。
【００３５】
本実施形態の室内機１は、前記前面カバー５、フレーム結合Ｂ及び電装箱８を熱交換器結合Ａに対して次のように結合している。
【００３６】
前記熱交換器結合Ａは、掛着部２１が据付板１２に掛けられるとともに、補助配管１８、１８が冷媒配管（図示せず）を介して室外機と接続され固定されており、前記フレーム結合Ｂは、基準板６のねじ孔２０、２０・・にフレーム部３３のねじ孔３９、３９、４０、４０が合わされ着脱可能にねじ止め固定されている。
【００３７】
また、前記電装箱８には、前記基準板６に固定するためのねじ孔４９、４９・・が設けられ、このねじ孔４９、４９・・を通して基準板６のねじ孔２０、２０・・に着脱可能にねじ止め固定されている。
【００３８】
前記前面カバー５は、取付用の複数の爪５３、５３、５３が基準板６に形成された係合孔５４、５４、５４に挿入され、取付用のねじ孔１５、１５がフレーム結合Ｂに設けられた係合穴５６、５６に合わせ着脱可能にねじ止め固定されている。
【００３９】
このように、熱交換器結合Ａに対して前面カバー５、フレーム結合Ｂ及び電装箱８が室内機１の設置状態で着脱可能に設けられているので、室内機１を清掃する場合、これら前面カバー５、フレーム結合Ｂ及び電装箱８を熱交換器結合Ａから取り外した後、熱交換器結合Ａに洗浄液（薬品）をスプレーすることにより、フレーム結合Ｂ及び電装箱８等の樹脂部品に洗浄液がかかることなく熱交換器７を洗浄することができる。そして、熱交換器７のフィン等に付着した塵埃を取り除いた後、洗浄液を水で洗い流し、その後、フレーム結合Ｂ、電装箱８及び前面カバー５を取り付けることにより、洗浄液による樹脂部品の劣化を防ぐことができる。
【００４０】
また、前面カバー５、フレーム結合Ｂ及び電装箱８は、熱交換器結合Ａから外したときに掃除機や水拭き等で塵埃を取り除くことができ、通風路の隔壁３６、３７、３８の内側やクロスフローファン４３を容易に清掃することができる。
【００４１】
なお、本発明は上記の各実施例のみに限定されるものではなく、要旨を逸脱しない範囲内で適宜変更して実施し得るものである。
【００４２】
【発明の効果】
以上説明したように、本発明の空気調和機の室内機は、室内機設置状態において、熱交換器結合に対して前面カバーとフレーム結合とを着脱可能に設けているので、樹脂材料で形成される前面カバー及びフレーム結合等を外して熱交換器結合のみを洗浄することができる。これにより熱交換器を洗浄液等の薬品を使用して洗浄できるので、フィン等の汚れを効果的に洗い流せるとともに、洗浄液の付着による前面カバー及びフレーム結合の樹脂の劣化を防ぐことができる。
【００４３】
また、フレーム結合の隔壁内側及びクロスフローファン等の室内機内部に配設される部品を容易に清掃することができる。
【図面の簡単な説明】
【図１】本発明の一実施形態における壁掛型室内機の分解斜視図である。
【図２】前面カバーの側断面図である。
【図３】熱交換器結合の側面図である。
【図４】図２の熱交換器結合の分解説明図である。
【図５】フレーム結合の側面図である。
【図６】図４のフレーム結合の分解図である。
【図７】従来の壁掛型室内機の一例を示す分解斜視図である。
【符号の説明】
１　室内機
２、３　吸込口
４　吹出口
５　前面カバー
６　基準板
７　熱交換器
８　電装箱
１６　上仕切板
１７　下仕切板
２４、２５、２６　熱交換器のブロック
３２　エアフィルター
３３　フレーム部
３４　送風機
３５　風向調節器
３６　後隔壁
３７　左隔壁
３８　右隔壁
４１　上ドレンパン
４３　クロスフローファン
４４　ファンモータ
５０　左右風向調節羽根
５１　ドレンパン
５２　上下風向調節板
Ａ　熱交換器結合
Ｂ　フレーム結合
【図１】
2004020151.tif 000003
【図２】
2004020151.tif 000004
【図３】
2004020151.tif 000005
【図４】
2004020151.tif 000006
【図５】
2004020151.tif 000007
【図６】
2004020151.tif 000008
【図７】
2004020151.tif 000009